(57)【要約】【課題】原稿面の位置変動による読み取り画像ムラをなくし、例えば形体安定性に優れた照明装置、イメージセンサユニットを提供する。【解決手段】光源２と、この光源２から出射された光を原稿５方向に導く導光体３とを備えた照明装置１０の導光体光出射面３ａが、光源２から出射され、導光体３を経て原稿５に照射される光を拡散させる光拡散シート１で覆われており、この光拡散シート１は、照明装置１０と一体化されている。光源２は導光体３の長手方向の一端に配置されたＬＥＤ光源であり、光散乱シート１は光透過型のシートであり、導光体３は透明樹脂からなる棒状体、例えば四角柱体であり、この四角柱体の長手方向に沿って光出射面３ａを有し、この光出射面３ａは、光拡散シート１で覆われている。【選択図】図４
2007158379.tif 000002
【特許請求の範囲】
【請求項１】
光源と、
この光源から出射された光を原稿面方向に導く導光体と、
を備えた照明部の、
前記導光体の光出射面が、前記光源から出射され、前記導光体を経て前記原稿面に照射される光を拡散させる光拡散部で覆われており、
この光散乱部は、前記照明部と一体化されていることを特徴とする照明装置。
【請求項２】
前記光源は、前記導光体の長手方向の一端に配置されたＬＥＤ光源であり、
前記光散乱部は、光透過型の光拡散シートであり、
前記導光体は、透明樹脂からなる棒状体であり、この棒状体の長手方向に沿って光出射面を有し、
この光出射面は、前記光拡散シートで覆われていること
を特徴とする請求項１に記載の照明装置。
【請求項３】
前記導光体は、被覆部材によって覆われており、
この被覆部材の前記光出射面以外の導光体表面と対向する部分には光反射面が形成されており、
前記光拡散シートは、前記光出射面を被覆する前記被覆部材の外表面に固定されている
ことを特徴とする請求項１又は２に記載の照明装置。
【請求項４】
原稿面を照明する照明装置と、
前記原稿面からの反射光をイメージセンサに結像させる結像手段と、
入射光量に応じて電気的出力を発生する前記イメージセンサと、
前記照明装置、前記結像手段及び前記イメージセンサを一体に保持するフレームとを備えたイメージセンサユニットにおいて、
前記照明装置は、請求項１〜３のいずれか１項に記載の照明装置であることを特徴とするイメージセンサユニット。
【請求項５】
前記結像手段は、セルホックレンズであり、
前記照明装置は、前記セルホックレンズに隣接するように配置され、
前記光拡散シートは、前記セルホックレンズに当接して位置決めされている
ことを特徴とする請求項４に記載のイメージセンサユニット。
【請求項６】
前記イメージセンサは、光電変換素子又は電荷結合素子であることを特徴とする請求項４又は５に記載のイメージセンサユニット。
【請求項７】
原稿を載置するコンタクトガラスと、
このコンタクトガラスを介して前記原稿と対向するように配置され、前記原稿の画像情報を読み取るイメージセンサユニットと、
を有する画像読み取り装置において、
前記イメージセンサユニットは、請求項４〜６のいずれか１項に記載のイメージセンサユニットであることを特徴とする画像読み取り装置。
【請求項８】
原稿を読み取る画像読み取り装置と、
読み取った画像情報に基づいて像担持体に潜像を形成する露光装置と、
前記像担持体に形成された潜像を可視像化する現像装置と、
前記可視像を記録媒体に転写する転写装置と、
転写画像を前記記録媒体に定着させる定着装置と、
を有する画像形成装置において、
前記画像読み取り装置は、請求項７に記載の画像読み取り装置であることを特徴とする画像形成装置。
【発明の詳細な説明】
【技術分野】
【０００１】
本発明は、イメージスキャナ、デジタル複写機、ファクシミリ、プリンタ等の画像読取装置又は画像形成装置に適用される照明装置、イメージセンサユニット並びにこれらを用いた画像読み取り装置及び画像形成装置に関する。
【背景技術】
【０００２】
画像読み取り装置又は画像形成装置においては、原稿を画像読み取り部のコンタクトレンズ上に載置するか又はコンタクトレンズ表面を摺動させ、その間に照明装置から光を照射し、反射光をイメージセンサに結像させることによって前記原稿の文字、画像等の情報（以下、画像情報という）が読み取られる。
このような画像読み取り装置又は画像形成装置において、原稿は必ずしもコンタクトレンズに均一に接触しておらず、原稿の浮きによって原稿面照度が変動し、この照度変動に基づいて読み取り画像のムラ等が発生することがある。
【０００３】
即ち、イメージスキャナ、デジタル複写機、ファクシミリ、プリンタ等の画像読取部では、例えば、図７に示すように、イメージセンサユニット７０がコンタクトガラス７９の下方に配置され、原稿搬送ローラ７１、７２により原稿７５を矢印Ｆ方向に移動、搬送させ、イメージセンサユニット７０によって原稿面の画像情報が読み取られる。
イメージセンサユニット７０は、一般に原稿面を照明する照明装置６０と、原稿面からの反射光を光電変換素子７７に結像させる例えばセルホックレンズアレイ７６と、入射光量に応じて電気的出力を発生する上記光電変換素子７７と、これらを一体に保持するフレーム７８とで主として構成されている。装置全体のコンパクト化及び原稿面を照明装置６０によって効率良く照明するという要求を満たすために、イメージセンサユニット７０はコンタクトレンズ７９及び原稿７５に近い位置に配置されている。
【０００４】
ここで、原稿面の状態は、波打ち等により均一ではなく、また、原稿を搬送しながら画像を読み取る場合、原稿搬送をスムーズに行うため、ある程度の隙間を搬送路に確保する必要があり、イメージセンサユニット７０に対して原稿面位置が、その隙間相当分変動する場合がある。
原稿面の照度は、原稿面と照明装置との距離の２乗に反比例するため、原稿の波打ちや原稿搬送路のスキマ等に起因して原稿面位置が変動すると、照明装置が原稿面から近い場合ほど、原稿面の照度変動が大きくなって読み取り画像にムラ等が発生し易くなる。
特に、原稿の地肌に近い濃度の画像情報を読み取る場合には、一般には地肌を出さない読み取り設定を行うため、原稿面位置の変動により、その画像情報が読み取れたり欠落したりする場合がある。従って、画像情報の欠落等の不都合を防止するために、例えば地肌を出し気味にする読み取り条件を設定する等、種々の対策がなされている。
【０００５】
このような従来技術として、例えば特許文献１には、原稿の浮きによって生じる原稿面照度変動による読み取り画像のムラの発生を防止することを目的として開発された技術であって、照明装置を結像手段の両側に配置し、各照明装置からの照明光の光量ピークが読取りライン上の上下方向の異なる位置となるように設定したイメージセンサユニットが開示されている。
図８は、特許文献１に開示されたイメージセンサユニットの概略構成を示す図である。図８において、このイメージセンサユニットは、コンタクトレンズ８９の下方に配置されており、ＬＥＤ光源８２と導光体８３とを有する照明装置８４を結像手段としてのレンズアレイ８６の両側にそれぞれ配置したものであり、両照明装置からの照明光の光量ピークが読取りラインの上下方向の異なる位置に設定されるようにしたものである。このような構成によって、原稿が浮いた場合であっても所定強度の反射光が光電変換素子８７に入力されるようになり、原稿面照度の変動に起因する画像ムラが改善されるというものである。
【０００６】
また、特許文献２には、照明系と被照明領域との間の位置変動による照明照度の変動が少なく、組み付け作業が容易な原稿照明装置を提供することを目的として開発された装置であって、被照明領域の長手方向に平行に配備された管状ランプと、横断面形状が長手方向へ一様な形状の反射面を有し、前記管状ランプに沿設され、管状ランプの光を前記被照明領域へ向けて反射するリフレクタと、前記管状ランプ及びリフレクタと前記被照明領域との間に配備され、前記被照明領域に所望の照明光量分布を実現するように拡散特性が設定された光透過型のビーム整形デフューザとを有する原稿照明装置が開示されている。
図９は、特許文献２に開示された照明装置の概略構成を示す図である。図９において、この照明装置は、原稿ガラス９３上の原稿面を照明する装置であって、被照明領域９０の長手方向に平行に配備され、フィレメント９２を有する管状ランプ９１と、横断面形状が前記照明領域の長手方向へ一様な形状の反射面を有し、管状ランプ９１に沿設され、管状ランプ９１の光を被照明領域９０へ向けて反射するリフレクタ９７と、このリフレクタ９７の対向する２辺間に架設するように配置されたビーム整形デフューザ９８とから主とし構成されている。このような照明装置によれば、ビーム整形デフューザ９８を設けたことにより、照射光束を拡散光とすることができるので、被照射領域９０の光量分布を均一化できるということである。
【０００７】
【特許文献１】特開２００４−１０４４８０号公報
【特許文献２】特開平０９−１６６８２８号公報
【発明の開示】
【発明が解決しようとする課題】
【０００８】
しかしながら、上記従来技術のうち前者は、照明装置が複数必要となり、装置全体が大きくなると共にコストが高くなるという問題がある。また、後者は、リフレクタ、管状ランプ及びデフューザの位置決めが困難であり、組みたて工程が煩雑になると共に、経時的な形態安定性が得られ難いという問題がある。
本発明は、上記従来技術の問題点に鑑みてなされたものであって、比較的簡単な構造で、各部材相互の位置決め及び組みたてが容易で、しかも形態安定性に優れた照明装置、イメージセンサユニット、画像読み取り装置及び画像形成装置を提供することを目的とする。
【課題を解決するための手段】
【０００９】
上記目的を達成するため本発明に係る照明装置は、光源と、この光源から出射された光を原稿面方向に導く導光体と、を備えた照明部の前記導光体の光出射面が、前記光源から出射され、前記導光体を経て前記原稿面に照射される光を拡散させる光拡散部で覆われており、この光拡散部は、前記照明部と一体化されていることを特徴とする。
この場合において、前記光源は、前記導光体の長手方向の一端に配置されたＬＥＤ光源であり、前記光散乱部は、光透過型の光散乱シートであり、前記導光体は、透明樹脂からなる棒状体であり、この棒状体の長手方向に沿って光出射面を有し、この光出射面は、前記光拡散シートで覆われていることが好ましい。
また、前記導光体は、被覆部材によって覆われており、この被覆部材の前記光出射面以外の導光体表面と対向する部分には光反射面が形成されており、前記光拡散シートは、前記光出射面を被覆する前記被覆部材の外表面に固定されているものとすることができる。
【００１０】
本発明に係るイメージセンサユニットは、原稿面を照明する照明装置と、前記原稿面からの反射光をイメージセンサに結像させる結像手段と、入射光量に応じて電気的出力を発生する前記イメージセンサと、前記照明装置、前記結像手段及び前記イメージセンサを一体に保持するフレームとを備えたイメージセンサユニットにおいて、前記照明装置は、上述したいずれか一つの照明装置であることを特徴とする。
この場合において、前記結像手段は、セルホックレンズであり、前記照明装置は、前記セルホックレンズに隣接するように配置され、前記光拡散シートは、前記セルホックレンズに当接して位置決めされているものであることが好ましい。
また、前記イメージセンサとして、光電変換素子又は電荷結合素子を適用することができる。
【００１１】
本発明に係る画像読み取り装置は、原稿を載置するコンタクトガラスと、このコンタクトガラスを介して前記原稿と対向するように配置され、前記原稿の画像情報を読み取るイメージセンサユニットと、を有する画像読み取り装置において、前記イメージセンサユニットは、上述したいずれか一つのイメージセンサユニットであることを特徴とする。
また、本発明に係る画像形成装置は、原稿を読み取る画像読み取り装置と、読み取った画像情報に基づいて像担持体に潜像を形成する露光装置と、前記像担持体に形成された潜像を可視像化する現像装置と、前記可視像を記録媒体に転写する転写装置と、転写画像を前記記録媒体に定着させる定着装置と、を有する画像形成装置において、前記画像読み取り装置は、上述した画像読み取り装置であることを特徴とする。
【発明の効果】
【００１２】
本発明によれば、導光体を有する照明装置において、導光体の光出射面を覆う光拡散部を正確に位置決めすることができ、光源から出射され原稿面に照射される光を光拡散部で拡散させ、原稿面における単位面積あたりの光束を少なくすることによって、照射特性である集光性を緩和させ、原稿面と照射装置との間の距離を遠ざける効果が得られ、原稿面の位置変動に対する原稿面照度の変動を緩和して原稿面の位置変動に基づく読み取り画像のムラを低減することができる。また、ＬＥＤ光源を用いた場合には、照明装置としての経時的形態安定性を向上させることができる。
【発明を実施するための最良の形態】
【００１３】
以下、本発明の実施の形態について添付の図面を参照しつつ詳細に説明する。
図１〜図３は、本発明の実施形態に係る照明装置を示すものであり、図１は、その斜視図、図２は、組みたて分解図、図３は、導光体に設けられた光散乱パターンを示す図である。
図１及び図２において、この照明装置１０は、アクリル、光学ガラス等で形成された透明の棒状体、例えば四角柱状の導光体３と、導光体３の一端に配置されたＬＥＤ光源２と、導光体３に対してキズやゴミの付着を防止すると共に、導光体３内を伝播する光を反射させる被覆部材としての導光体カバー４とから主として構成されている。導光体３には、その長手方向の一辺を切り取るようにして光出射面である導光体出射面３ａが形成されており、光源２から出射され導光体３内を伝播する光は、導光体出射面３ａを経て図示省略した原稿に向けて照射される。導光体カバー４は、例えば透明の樹脂で構成されており、その導光体出射面３ａ以外の導光体表面と対向する面には、例えば酸化マグネシウム（ＭｇＯ）、酸化チタン（ＴｉＯ２）、酸化ケイ素（ＳｉＯ２）等が塗布された光反射面が形成されている。この光反射面によって、光源２から照射され、導光体内を伝播する光は反射を繰り返して導光体３の端部まで到達する。なお、導光体カバー４の導光体出射面３ａと当接する面には光反射面は形成されておらず、導光体３内を伝播する光は導光体出射面３ａから、被照射体に向かって照射される。
導光体３の導光体出射面３ａを覆う導光体カバー４の上部平面には光拡散部としての拡散シート１が、例えば粘着テープ等の固定部材によって貼着、固定されている。即ち、導光体出射面３ａは、導光体カバー４を介してその表面に固定された拡散シート１によって被覆されている。固定部材は、光透過性のものである。
光拡散シート１は、例えばポリメタクリル酸メチル又はポリスチレンで構成され、入射光を透過光として均一に拡散させるものであり、例えば高いヘイズで、高い光線透過率を有する。
【００１４】
図３において、導光体３の底面の長手方向には、ＬＥＤ光源２が配置された導光体３の一端から他方端に向かって順次面積が広くなるように白色塗料等で印刷された光拡散面が１３形成されている。ＬＥＤ光源２から出射され、導光体３内を伝播した光は光拡散面１３に反射し、導光体出射面３ａから被照射体である原稿面に向けて照射される。白色塗料が印刷された光拡散面は、ＬＥＤ光源２から遠ざかるに伴ってその面積が大きくなるように形成されており、これによって、導光体出射面３ａから原稿に向けて照射される光の導光体３の長さ方向の光強度の均等化を図っている。白色塗料としては、例えば上述した導光体カバー４に適用されたものと同様のものが使用される。
図４は、照明装置１０を組み込んだイメージセンサユニットの断面図である。図４において、イメージセンサユニットは、例えばイメージスキャナ、デジタル複写機、ファクシミリ等の画像読取部に適用され、通常、コンタクトガラス９の下方に配置される。イメージセンサユニット２０は、照明装置１０と、結像手段としてのセルホックレンズアレイ６と、イメージセンサとしての光電変換素子７と、これらを一体に保持するフレーム８とから主として構成されている。照明装置１０の拡散シート１の端部は、隣接するセルホックレンズ６に当接しており、これによって、拡散シート１が位置決めされている。
セルホックレンズアレイ６は、照明装置１０の導光体出射面３ａから照射され、コンタクトガラス９に載置された原稿５の表面で反射した反射光をイメージセンサとしての光電変換素子７に結像させる。光電変換素子７は、入射光量に応じて電気的出力を発生する。
【００１５】
照明装置１０を組みこんだイメージセンサユニット２０は、更に、例えば画像形成装置の画像読み取り装置に組みこまれる。
図５は、本実施形態に係る画像形成装置の概略構成を示す図である。図５において、この画像形成装置は、原稿を読み取り、読み取った情報を電気的な画像信号に変換する画像読み取り装置１００と、読み取った画像信号に対応した画像を書き込み部１０２によって像担持体表面に形成する作像部１０３と、現像剤を現像ローラの表面に担持して像担持体に対向する現像領域に搬送し、像担持体表面に形成された静電潜像に転移させて顕像化する現像部１０４と、像担持体上に形成されたトナー像を、例えば手差し部１０６から供給された記録紙に定着させる定着部１０５とから主として構成されている。
この画像形成装置は、例えば大判サイズの図面原稿に対応したものであり、ロール紙を記録紙として供給するロール給紙部１０７、大判サイズの原稿の長さに合わせて前記ロール紙をカットするカッター１０９が設けられている。ロール給紙部１０７の下方には、カセット給紙部１０８が配置されており、このカセット給紙部１０８は、例えばＡ３サイズの原稿に対応している。
【００１６】
以下、このような構成の照明装置１０、この照明装置１０を組みこんだイメージセンサユニット２０、イメージセンサユニット２０を組み込んだ画像読み取り装置１００の動作について説明する。
図５の画像読み取り装置１００において、例えば原稿搬送ローラ１１、１２により原稿５（図４参照）を矢印Ａ方向に移動、搬送し、イメージセンサユニット２０によって原稿面の画情報を読み取る。即ち、ＬＥＤ光源２から導光体３の他端部に向けて光を出射し、出射した光を、導光体３の表面及び／又は導光体カバー４の反射面で反射させながら導光体３内を一端から他方端に向かって伝搬させる。導光体３の端部に向かって伝播する光は、導光体３の低部に設けられた光拡散面１３で反射し、拡散して導光体出射面３ａから原稿５の表面に向けて照射される。導光体出射面３ａから出射され、原稿５に向かって照射された光は、導光体出射面３ａを覆う拡散シート１を経て拡散した後、原稿５に照射され、その表面で反射する。反射光は、セルホックレンズアレイ６に入射し、光電変換素子７に結像され（図４参照）、これによって原稿５の画情報が読み取られる。
【００１７】
このとき、原稿５の表面には、波打ち等に起因する凹凸があり、必ずしも均一ではない。また、上述したように、原稿５を搬送しつつ画像を読み取る場合、原稿５をスムーズに搬送するために、原稿搬送路には、ある程度の間隙が設けられており、この隙間に起因して、イメージセンサユニット２０に対する原稿５の表面位置が変動する場合もある。
【００１８】
ところで、原稿面における照度は、原稿面と照明装置との間の距離の２乗に反比例する。従って、原稿の波打ち又は原稿搬送路の隙間によって原稿面位置が変動する場合、照明装置１０と原稿５との間隔が狭い場合、換言すれば、照明装置１０から原稿５の表面までが近い場合には不利となる。
例えば、照明装置１０と原稿５の表面との距離が４ｍｍの場合と７ｍｍの場合に原稿面位置が０．１ｍｍ変動したとすると、原稿５の表面における照度変動は以下のようになる。
距離が４ｍｍの場合の照度変動：｛１−（４２／４．１２）｝×１００＝約５％
距離が７ｍｍの場合の照度変動：｛１−（７２／７．１２）｝×１００＝約３％
このように、照明装置１０と原稿５の表面との間隔が短いほど原稿面の照度変動が大きくなり、原稿表面位置の変動の影響は大きくなる。
【００１９】
また、一般に、照明装置の原稿表面への照射特性は原稿面の浮きがない時、最大に、集光するように設定されるので、原稿面の位置変動に対する原稿面の照度変動が大きくなると、読み取り画像にムラ等が発生し易くなる。特に、原稿の地肌に近い濃度の画像情報を読み取る場合には、一般には地肌を出さない読み取り設定が行われるので、原稿面位置が変動すると、その画像情報が読み取れたり、欠落したりすることがある。従って、画像情報の欠落を防ぐために、地肌を出し気味にした、特別な読み取り条件が設定されることがあるが、本実施形態は、導光体出射面３ａから出射された光を拡散シート１により拡散させた後、原稿５の表面に照射するようにしたので、原稿５の表面における単位面積あたりの光束が少なくなることによって、光の照射特性である集光性が緩和されて、原稿５の表面から照明装置１０を遠ざけると同じ効果が得られ、原稿５の表面の位置変動に起因する原稿面照度変動が小さくなる。
【００２０】
本実施形態の照明装置１０、イメージセンサユニット２０並びにこれらを組み込んだ画像読み取り装置１００及びこの画像読み取り装置１００を組みこんだ画像形成装置によれば、導光体３の出射面３ａを光拡散シート１で被覆したことにより、原稿５と照射装置１０との間隔を広げたと同様の効果が得られ、原稿の位置変動に基づく画像読み取りムラを緩和することができ、これによって、最終的に、高品質の画像を形成することができる。
また、本実施形態の照明装置は、光源としてＬＥＤ光源２を適用したことにより、ＬＥＤは管状ランプに比べて経時的に温度変動することがないので、形体安定性に優れ、装置全体としての寿命を延ばすことができる。
更にまた、本実施形態によれば、照明装置１０を導光体カバー４で被覆するとともに、導光体カバー４に光反射面を設けたことにより、導光体３の一端から出射された光が前記光反射面での反射を繰り返し、これによって効率よく他方端まで伝播させることができる。また、導光体３の底面に光の入り口端から他方端に向かって順次面積が大きくなる光拡散面１３を設けたことによって、導光体３の長手方向に沿ってほぼ均一の強度の反射光を形成し、これを導光体出射面３ａから被照射体に向かって照射させることができる。
【００２１】
更にまた、本実施形態によれば、拡散シート１の端部をセルホックレンズ６の側面に当接して位置決めしたことによって、拡散シート１の位置決めが容易となり、組みたて容易性が向上する。また導光体カバー４の上面に、拡散シート１を、例えば粘着テープにより貼り付けて照明装置１０と一体化させたことによって、拡散シート１を正確に位置決めして光の均一照射効果を向上させることができると共に、拡散シート１を有する照明装置１０を一体としてイメージセンサユニット２０に組みこむことができる。また、照明装置１０を組みこんだイメージセンサユニット２０を一単位として読み取り装置１００に組みこむことができ、組みたてが容易となる。
更にまた、本実施形態によれば、一般汎用のイメージセンサユニットに対して、拡散シートを追加するという比較的簡単で安価な方法を採用するだけで、原稿の位置変動に基づく画像読み取りムラ等を改善して高品質の画像を得ることができる。
【００２２】
本実施形態において、イメージセンサとして光電変換素子を適用した場合について説明したが、本発明は、これに限定されるものではなく、イメージセンサとして光電変換素子の変わりに電荷結合素子（ＣＣＤ）を用いることもできる。
本実施形態において、画像形成装置は、電子写真方式又はインクジェット方式のいずれでもよく、本発明に係る照明装置、イメージセンサユニット、画像読み取り装置を備えることにより、画像ずれのない高画質の画像を形成することができる。
【００２３】
図６は、本実施形態に係るイメージセンサユニット２０を装着した画像読取装置１００を用い、供試チャート面を読み取った場合における拡散シートの効果を示す図である。
このとき、供試チャート面のコンタクトガラスからの高さ（位置変動）を０（密着）〜０．５１ｍｍの範囲で段階的に変化させた。また、供試チャートの地肌と濃度ＩＤ：０．２相当の文字部を読み込んだ時の読み取りレベル値（２５６階調）を原稿面照度の代用値とし、拡散シートとして、Ｔ社製、乳白色（半透明）、板厚０．１ｍｍの拡散シートを使用した。なお、原稿面高さ：０．２５５ｍｍにおける拡散シートなしの読み取りレベル値に、拡散シート有りの読み取りレベル値がほぼ一致するように、ＬＥＤ光源への供給電流値を変更させた。
【００２４】
図６において、原稿面高さ：０．５１ｍｍ変化に対しての拡散シートあり、なしの読み取りレベル変動量は、
拡散シートありの場合、
地肌      →２５２．０−２１７．２＝３４．８デジット
濃度０．２→２１６．３−１９１．９＝２４．４デジット
拡散シートなしの場合、
地肌      →２５３．８−２００．９＝５２．９デジット
濃度０．２→２１７．２−１７６．４＝４０．８デジット
となっている。
したがって、拡散シートありの場合の読み取りレベル低減効果は、
地肌      →（１−３４．８／５２．９）×１００≒３４％
濃度０．２→（１−２４．４／４０．８）×１００≒４０％
となり、導光体３の出射面３ａを拡散シート１で被覆したことによって、照明装置１０を原稿５の表面から遠ざけたと同様の効果が得られ、原稿の波打ちに起因する地肌濃度ムラを改善できたことが分かる。なお、実画像においても波打ち原稿に起因して発生する地肌濃度ムラが改善された。
【図面の簡単な説明】
【００２５】
【図１】本発明の実施形態に係る照明装置の斜視図である。
【図２】図１の照明装置の分解図である。
【図３】図２の導光体の平面図である。
【図４】本発明の実施形態に係るイメージセンサユニットの断面図である。
【図５】本発明の実施形態に係る画像形成装置の概略構成を示す図である。
【図６】原稿面照度特性に対する拡散シートの影響を示す図である。
【図７】画像読み取り装置の断面図である。
【図８】従来技術の説明図である。
【図９】従来技術の説明図である。
【符号の説明】
【００２６】
１    拡散シート
２    ＬＥＤ光源
３    導光体
３ａ  導光体出射面
４    導光体カバー
５    原稿
６    セルホックレンズアレイ
７    光電変換素子
８    フレーム
９    コンタクトガラス
１０  照明装置
１１  原稿搬送ローラ
１２  原稿搬送ローラ
１３  光拡散面
２０  イメージセンサユニット
６０  照明装置
７０  イメージセンサユニット
７１  原稿搬送ローラ
７２  原稿搬送ローラ
７５  原稿
７６  セルホックレンズアレイ
７７  光電変換素子
７８  フレーム
７９  コンタクトガラス
８２  ＬＥＤ光源
８３  導光体
８４  照明装置
８６  セルホックレンズアレイ
８７  光電変換素子
８８  フレーム
８９  コンタクトガラス
９０  被照射領域
９１  管状ランプ
９２  フィラメント
９３  原稿ガラス
９７  リフレクタ
９８  ビーム整形デフューザ
１００  画像読み取り装置
１０１  画像読み取り部
１０２  書きこみ部
１０３  作像部
１０４  現像部
１０５  定着部
１０６  手差し部
１０７  ロール給紙部
１０８  カセット給紙部
１０９  カッター
【図１】
2007158379.tif 000003
【図２】
2007158379.tif 000004
【図３】
2007158379.tif 000005
【図４】
2007158379.tif 000006
【図５】
2007158379.tif 000007
【図６】
2007158379.tif 000008
【図７】
2007158379.tif 000009
【図８】
2007158379.tif 000010
【図９】
2007158379.tif 000011